【事件の表示】
　特許第２８３１５９２号「髪の機械的特性を保持および／または増強するためにフラボノイド類を使用した化粧品組成物および髪の保護方法」の特許に対する特許異議の申立てについて、次のとおり決定する。
【結　論】
　訂正を認める。
　特許第２８３１５９２号の請求項１ないし１５に係る特許を維持する。
【理　由】
１．経緯　
  本件特許第２８３１５９２号は、平成７年５月１日の出願に係り、平成１０年９月２５日に設定登録された後、異議申立てがなされ、取消理由通知に対して平成１２年７月１１日に訂正請求がなされたものである。
２．訂正請求について、
（１） 本件訂正請求に係る訂正事項は以下のとおりである。
訂正事項ａ；特許明細書の特許請求の範囲の請求項１における、
「フラバノン類、フラボン類、フラボノール類、ジヒドロフラボノール類、カテキン類、ロイコアントシアニジン類、カルコン類、オウロン類、およびジヒドロカルコン類からなる群から選択され、髪の機械的特性を改善および／または回復するためのフラボノイド類を含有してなる化粧品組成物。」なる記載を、
「フラバノン類、フラボン類、フラボノール類（クエルセチン及びその配糖体を除く）、ジヒドロフラボノール類、ロイコアントシアニジン類、カルコン類（次式
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す］の２−ヒドロキシカルコン誘導体を除く）、オウロン類、およびジヒドロカルコン類からなる群から選択され、髪の機械的特性を改善および／または回復するためのフラボノイド類を含有してなる化粧品組成物（但し、有機過酸化物を還元できるベルオキシダーゼ活性を有する物質、及び、セレン化合物を含まない）。」と訂正する。
訂正事項ｂ；同特許請求の範囲の請求項５における、
「フラボノイド類が、フラバノン類、フラボン類、フラボノール類、ジヒドロフラボノール類、カテキン類およびロイコアントシアニジン類から選択されることを特徴とする、請求項１ないし４のいずれか１項に記載の化粧品組成物。」なる記載を、
「フラボノイド類が、フラバノン類、フラボン類、フラボノール類（クエルセチン及びその配糖体を除く）、ジヒドロフラボノール類およびロイコアントシアニジン類から選択されることを特徴とする、請求項１ないし４のいずれか１項に記載の化粧品組成物。」と訂正する。
訂正事項ｃ；同特許請求の範囲の請求項７における、
「式（I） の化合物類が．タキシフオリン、カテキン，エピカテキン、エリオジクチオール．ナリンゲニン、エピガロカテキン、および没食子酸エピガロカテキンから選択されることを特徴とする、請求項６に記載の化粧品組成物。」なる記載を、
「式（I）の化合物類が、タキシフオリン、エリオジクチオールおよびナリンゲニンから選択されることを特徴とする、請求項６に記載の化粧品組成物。」と訂正する。
訂正事項ｄ；同特許請求の範囲の請求項８における、
「式（II）の化合物類が、ルチン、トロゼルチン、クリシン、タンゲレチン、およびルテオリンから選択されることを特徴とする請求項６に記載の化粧品組成物。」なる記載を、　
「　式（II）の化合物類が、トロゼルチン、クリシン、タンゲレチン、およびルテオリンから選択されることを特徴とする．請求項６に記載の化粧品組成物。」と訂正する。
訂正事項ｅ；同特許請求の範囲請求項１５における、
「有効量の、フラバノン類、フラボン類、フラボノール類、ジヒドロフラボノール類、カテキン類、ロイコアントシアニジン類、カルコン類、オウロン類、およびジヒドロカルコン類からなる群から選択されるフラボノイド類が、化粧品として許容されるキャリアにおいて髪に適用されることを特徴とする、環境成分により引き起こされるダメージに対して髪の機械的特性を保護する保護方法。」なる記載を、
「有効量の、フラバノン類、フラボン類、フラボノール類（クエルセチン及びその配糖体を除く）、ジヒドロフラボノール類、ロイコアントシアニジン類、カルコン類（次式
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す］の２−ヒドロキシカルコン誘導体を除く）、オウロン類、およびジヒドロカルコン類からなる群から選択されるフラボノイド類が、化粧品として許容されるキャリア（有機過酸化物を還元できるベルオキシダーゼ活性を有する物質、及び、セレン化合物を含まない）において髪に適用されることを特徴とする、環境成分により引き起こされるダメージに対して髪の機械的特性を保護する保護方法。」と訂正する。
訂正事項ｆ；特許明細書の段落番号[０００５]における、
「[０００５]【課題を解決するための手段および作用】本発明の主題は、環境成分、特に光によるダメージ、および、髪に繰り返し行われる処理によるダメージに対して、フラバノン類、フラボン類、フラボノール類、ジヒドロフラボノール類、カテキン類、ロイコアントシアニジン類，カルコン類、オウロン類、およびジヒドロカルコン類からなる群から選択され．髪の機械的特性を改善および／または回復するためのフラボノイド類を含有してなる、化粧品組成物を提供することである。」なる記載を、
「[０００５]【課題を解決するための手段および作用】 本発明の主題は、環境成分、特に光によるダメージ、および、髪に繰り返し行われる処理によるダメージに対して、フラバノン類、フラボン類、フラボノール類（クエルセチン及びその配糖体を除く）、ジヒドロフラボノール類、ロイコアントシアニジン類、カルコン類（次式
［式中、Ｒ１、Ｒ２、Ｒ３及びＲ４は互いに独立に水素原子、Ｃ１〜Ｃ１２の直鎖または分枝鎖アルキル基．Ｃ，〜Ｃ，２の直鎖または分枝アルコキシ基またはＣ２〜Ｃ２０の直鎖または分枝アシロキシ基を表す］の２−ヒドロキシカルコン誘導体を除く）、オウロン類、およびジヒドロカルコン類からなる群から選択され、髪の機械的特性を改善および／または回復するためのフラボノイド類を含有してなる、化粧品組成物（但し、有機過酸化物を還元できるベルオキシダーゼ活性を有する物質、及び、セレン化合物を含まない）を提供することである。」と訂正する。
訂正事項ｇ；同段落番号[０００７]における、
「[０００７]　本発明によれば、フラバノン類、フラボン類、フラボノール類、ジヒドロフラボノール類、カテキン類およびロイコアントシアニジン類から選択されたフラボノイド類が好ましくは使用される。
  本発明によれば、式（１）：」なる記載を、
「[０００７]　本発明によれば、フラバノン類、フラボン類、フラボノール類（クエルセチン及びその配糖体を除く）、ジヒドロフラボノール類、およびロイコアントシアニジン類から選択されたフラボノイド類が好ましくは使用される。
  本発明によれば、式（１）：」と訂正する。
訂正事項ｈ；同段落番号[００１６]における、
「[００１６]　本発明においては、より好ましいフラボノイド類は、たとえば、タキシ　フオリン、カテキン、エピカテキン、エリオジクチオール、ナリンゲニン、ルチン、トロゼルチン、クリシン、タンゲレチン、ルテオリン、エピガロカテキン、および没食子酸エビガロカテキンから選択される。
　本発明により使用される組成物においては、式（I）および（II）で表わされる化合物は、一般的には，組成物の全重量に対して、０．００１重　量％から１０重量％までの間で、好ましくは０．００５重量％から５重量　％までの間で存在する。」なる記載を、
「[００１６]　本発明においては、より好ましいフラボノイド類は、たとえば、タキシフオリン、エリオジクチオール、ナリンゲニン、トロゼルチン、クリシン、タンゲレチン、およびルテオリンから選択される。
  本発明により使用される組成物においては、式（I）および（II）で表わされる化合物は、一般的には、組成物の全重量に対して、０．００１重量％から１０重量％までの間で、好ましくは０．００５重量％から５重量％までの間で存在する。」と訂正する。
訂正事項I；同段落番号[００２３]における、
「実施例１
　以下の組成のリーブーイントリートメントローションを調製した：
　−エピカテキン　 　　　　　　　　　１．０４ｇ　　
  −アセトン　　　　　　　　　　　 ２０．８３ｇ　　
  −水　　　　　　 　　　　合計　１００ｇ　
　該ローションを、かなり脱色した髪に適用し、該トリートメントを施した髪における水に対する膨張率を測定した。」なる記載を、
「参考例１　
　以下の組成のリーブーイントリートメントローションを調製した：
　−エピカテキン　　　　　　　　　 　１．０４ｇ　　
　−アセトン　　　　　　　　　　 　２０．８３ｇ　　
 −水　 　　　　　　　　 　合計　１００ｇ　　
　該ローションを、かなり脱色した髪に適用し、該トリートメントを施した髪における水に対する膨張率を測定した。」と訂正する。
（２）そこで、これらの訂正について以下検討する。
 　訂正事項ａおよびｅは、特許明細書の請求項１の化粧品組成物および請求項１５の保護方法において記載された使用成分について、その一部を削除するとともに使用しない成分を明示して除くするものであり、使用成分の限定に係るものであるから、特許請求の範囲の減縮を目的とするものである。
　訂正事項ｂ〜ｄは、請求項１における使用成分の限定に合わせて、請求項５、７および８における各使用成分を限定するものであるから、特許請求の範囲の減縮を目的とするものである。
　訂正事項ｆ〜ｉは、上記訂正事項ａ〜ｅに係る特許請求の範囲の訂正に伴い、訂正後の特許請求の範囲の記載に対して発明の詳細な説明における記載が不整合になることを解消するものであるから、これらの訂正は明瞭でない記載の釈明を目的とするのである。
　そして、これら訂正事項ａ〜ｉは、願書に添付した明細書に記載した事項の範囲内の訂正であり、特許請求の範囲を実質的に拡張、変更するものでもない。
　また、訂正後の特許請求の範囲に記載された事項により特定される発明は、後記することから明らかなように、特許出願の際独立して特許を受けることができない発明とはいえないものである。
　したがって、本件訂正請求は、特許法第１２０条の４第２項、および同条第３項において準用する同法第１２６条第２−４項の規定に適合するから、当該訂正を認める。
３．異議申立てについて、
（１）本件異議申立人の主張の概要は、 本件請求項１〜１５の発明は、甲第１〜５号証に記載された発明であるか、あるいは甲第１〜５号証に記載された各発明に基づいて当業者が容易に発明できたものであるから、これら請求項に係る各特許は、特許法第２９条第１項第３号あるいは同条第２項の規定に違反してなされたものであるというものである。
  証拠方法
　甲第１号証；特開昭５９−５１２０９号公報
　甲第２号証；ヨーロッパ特許出願公開明細書ＥＰ０５８６３０３ＡＩ
　甲第２号証の２；部分翻訳文
　甲第３号証；特開平４−３４２５１６号公報
　甲第４号証；特開平３−７７８０９号公報
　甲第５号証；特開昭６３−１６５３１１号公報
　甲第６号証；マグローヒル科学技術用語辞典第３版、１９９６年９月３０日、（株）日刊工業新聞社発行、第１６０５頁
　甲第７号証；審決取消訴訟判決集（２９）（平成５年２月２６日発行）第２６６頁〜第２７８頁、平成元年（行ケ）第５７号判決
（２）一方、訂正後の本件特許請求の範囲の請求項１〜１５の発明は、訂正明細書の記載からみて、同請求項１〜１５に記載した事項により特定される以下のとおりのものである。
「[請求項１]　フラバノン類、フラボン類、フラボノール類（クエルセチン及びその配糖体を除く）、ジヒドロフラボノール類、ロイコアントシアニジン類、カルコン類（次式
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す］の２−ヒドロキシカルコン誘導体を除く）、オウロン類、およびジヒドロカルコン類からなる群から選択され、髪の機械的特性を改善および／または回復するためのフラボノイド類を含有してなる化粧品組成物（但し、有機過酸化物を還元できるベルオキシダーゼ活性を有する物質、及び、セレン化合物を含まない）。
  [請求項２] 髪が受ける環境成分によって引き起こされる異なったタイプのダメージに対して、髪の機械的特性が、保持および／または増強されることを特徴とする、請求項１に記載の化粧品組成物。
  [請求項３] 髪の機械的特性が、繰り返し行われた髪処理に対して、保持および／または増強されることを特徴とする、請求項１に記載の化粧品組成物。
  [請求項４] 髪の機械的特性が、光によるダメージに対して、保持および／または増強されることを特徴とする、請求項１または２に記載の化粧品組成物。
  [請求項５]フラボノイド類が、フラバノン類、フラボン類、フラボノール類（クエルセチン及びその配糖体を除く）、ジヒドロフラボノール類およびロイコアントシアニジン類から選択されることを特徴とする、請求項１ないし４のいずれか１項に記載の化粧品組成物。
[請求項６]フラボノイド類が、式（I）：
または、式（II）：
（式中、Ａ、Ｂ、 Ｃ、およびＤは．各々独立に、ＨまたはＯＨを示し、Ｅは、Ｈ，ＯＨ、またはＯＲを示し、ここでＲは、
　
であり、Ｆ、Ｇ、およびＪは、各々独立に、ＨまたはＯＨを示し、Ｘは、
であり、
　Ａ’、Ｃ’、およびＤ’は．各々独立に．Ｈ、ＯＨ、またはＯＣＨ３を示し、
　Ｅ’は、Ｈ、ＯＨ、またはＯＲ’を示し、ここでＲ’は、糖基を示し、
　Ｂ’、Ｆ’、Ｇ’、およびＪ’は．各々独立に、Ｈ、ＯＨ、ＯＣＨ３、またはＯＣＨ２−ＣＨ２−ＯＨを示す）　の化合物類から選択されることを特徴とする、請求項１ないし５のいずれか１項に記載の化粧品組成物。
  [請求項７]　式（１）の化合物類が、タキシフオリン、エリオジクチオールおよびナリンゲニンから選択されることを特徴とする、請求項６に記載の化粧品組成物。
  [請求項８]　式（II）の化合物類が、トロゼルチン、クリシン、タンゲレチン、およびルテオリンから選択されることを特徴とする．請求項６に記載の化粧品組成物。
  [請求項９]フラボノイド類が、化粧品として許容されるキャリア中に、０，００１重量％から１０重量％までの間で存在することを特徴とする、請求項１ないし８のいずれか１項に記載の化粧品組成物。
  [請求項１０]フラボノイド類が、化粧品として許容されるキャリア中に０．００５から５重量％までの間で存在することを特徴とする、請求項９に記載の化粧品組成物。　　
　[請求項１１]水性または水−アルコール性ローション、ゲル、クリーム　エマルジョン、小胞性分散物　フォーム、スプレーの形態で提供されることを特徴とする、請求項１ないし１０のいずれか１項に記載の化粧品組成物。
  [請求項１２] シャンプー、リンスーオフまたはリーブ−インコンディショナー、パーマネントウエーブ用、ヘアーストレート用、染色または脱色用組成物の形態で、または、染色処理、パーマネントウエーブ処理、またはヘアーストレート処理の前後に、または、パーマネントウエーブ処理またはヘアーストレート処理の２段階の間に適用されるリンスーオフ組成物の形態提供されることを特徴とする、請求項１ないし１１のいずれか１項に記載の化粧品組成物。
 「請求項１３」少なくとも１つの化粧品添加物を含有することを特徴とす２のいずれか１項に記載の化粧品組成物。
  [請求項１４]イチョウ抽出物を含有しないことを特徴とする、請求項１ないし１３のいずれか記載の化粧品組成物。
  [請求項１５]　有効量の、フラバノン類、フラボン類、フラボノール類（クエルセチン及びその配糖体を除く）、ジヒドロフラボノール類、ロイコアントシアニジン類、カルコン類（次式
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す］の２−ヒドロキシカルコン誘導体を除く）、オウロン類、およびジヒドロカルコン類からなる群から選択されるフラボノイド類が、化粧品として許容されるキャリア（有機過酸化物を還元できるベルオキシダーゼ活性を有する物質、及び、セレン化合物を含まない）において髪に適用されることを特徴とする、環境成分により引き起こされるダメージに対して髪の機械的特性を保護する保護方法。」
（３）そこで本件異議申し立て人の主張について以下検討する。
　甲第１号証にはフラバノール誘導体を含有する毛髪化粧料について記載され、具体的なフラバノール誘導体として、エピカテキン、エピガロカテキン等のカテキン類が挙げられているが、本件訂正後の請求項１の発明（以下、本件発明１という）においては、カテキン類の使用はもはや含まれてはいない。また、フラバノールは３位あるいは４位に水酸基を有し、４位にはオキソ基を有しないものであるのに対して、本件発明１において使用するフラボノール、ジヒドロフラボノール類は４位にオキソ基を有する点で異なり（この点に関して、必要があれば「化学大辞典７」縮刷版第３６刷、立出版株式会社（1997,9,20) 第９６３および９５７頁（権利者が提出した乙第１号証)を参照されたい。）、また、本件発明１の他の成分もいずれもフラバノール誘導体に属するとはいえないから、甲第１号証の記載は、本件発明１の使用成分を示唆していない。
　してみれば、本件発明１は甲第１号証に実質上記載されているということはできないし、また、甲第１号証に記載された発明から当業者が容易に発明できたものとすることもできない。
　甲第２号証においては、有機過酸化物を還元できるペルオキシダーゼ活性を有する物質と、１重項酸素を中和できる抗酸化剤とを併用した化粧料又は医薬組成物について記載され、上記抗酸化剤として、キノリンおよびその誘導体、フラボノイド等が挙げられ、フラボノイドとして、タキシホリン、カテキン、エピカテキン、エリオジクチオール、ナリゲニン、ルチン、トロゼルチン、クリシン、タンゲレチン、ルテオリン、エピガロカテキン、没食子酸エピガロカテキン、クエルセチン、フィセチン、ケンフェロール、ガランギン、ガロカテキン、没食子酸エピカテキンが例示されていおり、また、上記化粧料組成物は、毛髪保護あるいは美的損傷を防ぐ旨の記載がある。
　そして、上記フラボノイドとして例示された化合物は、本件発明１の使用成分と重複するものの、本件発明１の化粧品組成物は、有機過酸化物を還元できるペルオキシダーゼ活性を有する物質を含まないことが明らかにされているから、本件発明１と甲第２号証の発明とはこの点で異なり、本件発明１は甲第２号証に記載された発明ではない。
　また、甲第２号証の発明は、大気汚染又は紫外線によって誘発されるフリーラジカルによって引き起こされる細胞損傷を防止又は処置することを可能にし、これにより皮膚の老化防止又は皮膚ガンの危険の低減を図るものであって、甲第２号証においては、皮膚の腫瘍の早期指標となり、また、有機過酸化物により表皮において誘発されるＯＤＣ（オルニチンデカルボキシラーゼ）について、有機過酸化物を還元できるペルオキシダーゼ活性を有する物質および特に１重項酸素を中和できる抗酸化剤は、ＯＤＣの誘発を阻止できなかった旨記載されているのであるから、甲第２号証においては、そもそも、有機過酸化物を還元できるペルオキシダーゼ活性を有する物質を併用せずに、１重項酸素を中和できる抗酸化剤を単独使用することを示唆してはいないのである。さらに、甲第２号証においては、上記毛髪保護あるいは美的損傷の防止の意味が本件発明１のように髪の機械的特性の改善等に係るものか否かは明確ではない上、フラボノイドの使用は、実施例および試験例において全く記載がないものであって、このフラボノイドの単独使用による毛髪に対する作用、効果は全く明らかにされていないのである。してみれば、本件発明１は甲第２号証に記載された発明から当業者が容易に発明できたものとすることはできない。
　甲第３号証においては、セレン化合物、あるいはセレン化合物とフラボノイドとを併用した頭髪の黄ばみ抑制用頭髪化粧料について記載されてはいるが、本件発明１の化粧品化合物は、セレン化合物を含まないものであり、また、甲第３号証においては、従来技術として、フラボノイドが毛髪の成長を妨げる過酸化脂質の生成を抑制することが知られている旨の記載もあるが、髪の機械的特性については何も記載されておらず、該記載も、本件発明１のように、フラボノイドを髪の機械的特性の改善等のために用いることまでは示唆していないから、本件発明１は甲第３号証に記載された発明とはいえない。
　また、甲第３号証におけるセレン化合物、あるいはセレン化合物とフラボノイドとを併用したことによる作用、効果は、頭髪の黄ばみを抑制するものであるから、甲第３号証においては、上記従来技術についての記載を含め、本件発明１における毛髪の機械的特性の改善等に用いる点については示唆がないのであって、当然、この用途に対応する本件発明１の効果を示唆していない。してみれば、本件発明１は甲第３号証に記載された発明から当業者が容易に発明できたものともすることはできない。
　甲第４号証においては、クエルセチンおよびその配糖体の１種あるいは２種以上を含有する養毛料について記載されてはいるが、クエルセチンおよびその配糖体の使用は、本件発明１から除外されている点で本件発明と甲第４号証の発明とは相違し、また、甲第４号証の用途は養毛剤であって、本件発明１における髪の機械的特性の改善等に用いるものとは、その用途においても異なり、甲第４号証においては、本件発明１における効果も示唆していない。してみれば、本件発明１は甲第４号証に記載された発明であるとも、また、該発明から当業者が容易に発明できたものともすることはできない。
 　甲第５号証においては、３００〜４００ｎｍの波長の紫外線を遮光する化合物として、次式で表される２−ヒドロキシカルコン誘導体
（式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す）を含有する遮光性化粧品組成物について記載されているが、甲第５号証の上記化合物は、本件発明１における使用成分中のカルコン類から除外されているものであって、この点で、本件発明１と甲第５号証の発明とは構成が異なることは明らかであるから、本件発明は甲第５号証に記載された発明ではない。また、甲第５号証においては、上記式で表される２−ヒドロキシカルコン誘導体以外のカルコン類が、髪の機械的特性を改善する等の作用効果を有する旨の示唆は全くないから、本件発明１の使用成分、用途、およびその効果について記載されているとはいえず、本件発明１は甲第５号証に記載された発明から当業者が容易に発明できたものともすることはできない。
　さらに、上記したことから明らかなように、甲第１〜５号証のいずれにおいても、本件発明１の構成およびこれに基く効果を示唆していないのであるから、甲第１〜５号証を組み合わせても、本件発明１は当業者において容易に発明できるものとはいえない。
　なお、甲第６号証においては、フラボノールについて、矢印によりフラバノールも参照すべきことを示す記載があるが、この記載から、本件異議申立人が述べるように、フラボノールとフラバノールとが同一物質であるとすることはできず、上記したようにフラボノールとフラバノールとは別異の物質であるとするのが相当であるから、この甲第６号証に関する異議申立人の主張は採用できない。また、甲第７号証の判決においては、課題が異なっても技術的事項が同じであれば発明は同一であることを判示するが、本件発明１と甲第１〜５号証の各発明とは、この判決にいう技術的事項すなわち構成が異なるから、この甲第７号証についての主張は当を得ない。
  次に、本件訂正後の請求項２〜１４項の発明は、本件発明１をさらに限定したものであるから、本件発明１が、甲第１〜５号証に記載された発明ではなく、これら甲各号証に記載された発明から当業者が容易に発明できたものではない以上、本件訂正後の請求項２〜１４項の発明も、甲第１〜５号証に記載された発明ではなく、またこれら甲各号証から当業者が容易に発明できたものでもない。
　さらに、本件訂正後の請求項１５の発明（以下、本件発明２という。）は、甲第１号証と同様な使用成分を使用して環境成分により引き起こされるダメージに対して髪の機械的特性を保護する方法に係るものであり、甲第１〜５号証においては、本件発明２の使用成分が、髪の機械的特性を保護する作用、効果を有することを示す記載はなく、本件発明の方法を示唆していない。してみれば、本件発明２も甲第１〜５号証に記載された発明ではなく、また、これら甲各号証に記載された発明から当業者が容易に発明できたものとすることはできない。
４．むすび、
　以上のとおりであるから、本件訂正請求は認めることができ、本件請求項１〜１５に係る特許は、本件異議申立ての理由および証拠によっては取り消すことができない。また、他に、本件請求項１〜１５に係る特許を取消すべき理由を発見しない。
　よって結論のとおり決定する。
【異議決定日】
平成１２年９月７日（２０００．９．７）
【訂正の要旨】
訂正事項ａ；特許明細書の特許請求の範囲の請求項１における、
「フラバノン類、フラボン類、フラボノール類、ジヒドロフラボノール類、カテキン類、ロイコアントシアニジン類、カルコン類、オウロン類、およびジヒドロカルコン類からなる群がら選択され、髪の機械的特性を改善および／または回復するためのフラボノイド類を含有してなる化粧品組成物。」なる記載を、
「フラバノン類、フラボン類、フラボノール類（クエルセチン及びその配糖体を除く）、ジヒドロフラボノール類、ロイコアントシアニジン類、カルコン類（次式
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す］の２―ヒドロキシカルコン誘導体を除く）、オウロン類、およびジヒドロカルコン類からなる群がら選択され、髪の機械的特性を改善および／または回復するためのフラボノイド類を含有してなる化粧品組成物（但し、有機過酸化物を還元できるべルオキシダーゼ活性を有する物質、及び、セレン化合物を含まない）。」と訂正する。
［式中、Ｒ１、Ｒ２、Ｒ３及びＲ４は互いに独立に水素原子、Ｃ１〜Ｃ１２の直鎖または分枝鎖アルキル基．Ｃ，〜Ｃ，２の直鎖または分枝アルコキシ基またはＣ２〜Ｃ２０の直鎖または分枝アシロキシ基を表す］の２―ヒドロキシカルコン誘導体を除く）、オウロン類、およびジヒドロカルコン類からなる群がら選択され、髪の機械的特性を改善および／または回復するためのフラボノイド類を含有してなる、化粧品組成物（但し、有機過酸化物を還元できるべルオキシダーゼ活性を有する物質、及び、セレン化合物を含まない）を提供することである。」と訂正する。
訂正事項ｇ；同段落番号［０００７］における、
「［０００７］本発明によれば、フラバノン類、フラボン類、フラボノール類、ジヒドロフラボノール類、カテキン類およびロイコアントシアニジン類から選択されたフラボノイド類が好ましくは使用される。
本発明によれば、式（１）：」なる記載を、
「［０００７］本発明によれば、フラバノン類、フラボン類、フラボノール類（クエルセチン及びその配糖体を除く）、ジヒドロフラボノール類、およびロイコアントシアニジン類から選択されたフラボノイド類が好ましくは使用される。
本発明によれば、式（１）：」と訂正する。
訂正事項ｈ；同段落番号［００１６］における、
「［００１６］本発明においては、より好ましいフラボノイド類は、たとえば、タキシ　フオリン、カテキン、エピカテキン、エリオジクチオール、ナリンゲニン、ルチン、トロゼルチン、クリシン、タンゲレチン、ルテオリン、エピガロカテキン、および没食子酸エビガロカテキンから選択される。
　本発明により使用される組成物においては、式（Ｉ）および（ＩＩ）で表わされる化合物は、一般的には，組成物の全重量に対して、０．００１重　量％から１０重量％までの間で、好ましくは０．００５重量％から５重量％までの間で存在する。」なる記載を、
「［００１６］本発明においては、より好ましいフラボノイド類は、たとえば、タキシフオリン、エリオジクチオール、ナリンゲニン、トロゼルチン、クリシン、タンゲレチン、およびルテオリンから選択される。
本発明により使用される組成物においては、式（Ｉ）および（ＩＩ）で表わされる化合物は、一般的には、組成物の全重量に対して、０．００１重量％から１０重量％までの間で、好ましくは０．００５重量％から５重量％までの間で存在する。」と訂正する。
訂正事項Ｉ；同段落番号［００２３］における、
「実施例１
　以下の組成のリーブーイントリートメントローションを調製した：
　−エピカテキン　　１．０４ｇ
−アセトン　　２０．８３ｇ
−水　合計　１００ｇ
　該ローションを、かなり脱色した髪に適用し、該トリートメントを施した髪における水に対する膨張率を測定した。」なる記載を、
「参考例１
　以下の組成のリーブーイントリートメントローションを調製した：
　−エピカテキン　　１．０４ｇ
　−アセトン　　２０．８３ｇ
−水　合計　１００ｇ
　該ローションを、かなり脱色した髪に適用し、該トリートメントを施した髪における水に対する膨張率を測定した」と訂正する。
（２）そこで、これらの訂正について以下検討する。
　訂正事項ａおよびｅは、特許明細書の請求項１の化粧品組成物および請求項１５の保護方法において記載された使用成分について、その一部を削除するとともに使用しない成分を明示して除くするものであり、使用成分の限定に係るものであるから、特許請求の範囲の減縮を目的とするものである。
　訂正事項ｂ〜ｄは、請求項１における使用成分の限定に合わせて、請求項５、７および８における各使用成分を限定するものであるから、特許請求の範囲の減縮を目的とするものである。
　訂正事項ｆ〜ｉは、上記訂正事項ａ〜ｅに係る特許請求の範囲の訂正に伴い、訂正後の特許請求の範囲の記載に対して発明の詳細な説明における記載が不整合
（５４）【発明の名称】
髪の機械的特性を保持および／または増強するためにフラボノイド類を使用した化粧品組成物および髪の保護方法
（５７）【特許請求の範囲】
　【請求項１】　フラバノン類、フラボン類、フラボノール類（クエルセチン及びその配糖体を除く）、ジヒドロフラボノール類、ロイコアントシアニジン類、カルコン類（次式
　【化１】
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す］の２―ヒドロキシカルコン誘導体を除く）、オウロン類、およびジヒドロカルコン類からなる群がら選択され、髪の機械的特性を改善および／または回復するためのフラボノイド類を含有してなる化粧品組成物（但し、有機過酸化物を還元できるペルオキシダーゼ活性を有する物質、及び、セレン化合物を含まない）。
　【請求項２】　髪が受ける環境成分によって引き起こされる異なったタイプのダメージに対して、髪の機械的特性が、保持および／または増強されることを特徴とする、請求項１に記載の化粧品組成物。
　【請求項３】　髪の機械的特性が、繰り返し行われた髪処理に対して、保持および／または増強されることを特徴とする、請求項１に記載の化粧品組成物。
　【請求項４】　髪の機械的特性が、光によるダメージに対して、保持および／または増強されることを特徴とする、請求項１または２に記載の化粧品組成物。
　【請求項５】　フラボノイド類が、フラバノン類、フラボン類、フラボノール類（クエルセチン及びその配糖体を除く）、ジヒドロフラボノール類およびロイコアントシアニジン類から選択されることを特徴とする、請求項１ないし４の
いずれか１項に記載の化粧品組成物。
　【請求項６】　フラボノイド類が、式（Ｉ）：
　【化２】
または、式（ＩＩ）：
　【化３】
（式中、Ａ、Ｂ、Ｃ、およびＤは、各々独立に、ＨまたはＯＨを示し、
Ｅは、Ｈ、ＯＨ、またはＯＲを示し、ここでＲは、
　【化４】
であり、
Ｆ、Ｇ、およびＪは、各々独立に、ＨまたはＯＨを示し、Ｘは、
　【化５】
であり、
Ａ’、Ｃ’、およびＤ’は、各々独立に、Ｈ、ＯＨ、またはＯＣＨ３を示し、
Ｅ’は、Ｈ、ＯＨ、またはＯＲ’を示し、ここでＲ’は、糖基を示し、
Ｂ’、Ｆ’、Ｇ’、およびＪ’は、各々独立に、Ｈ、ＯＨ、ＯＣＨ３、またはＯＣＨ２−ＣＨ
２−ＯＨを示す）
の化合物類から選択されることを特徴とする、請求項１ないし５のいずれか１項に記載の化粧品組成物。
　【請求項７】　式（Ｉ）の化合物類が、タキシフォリン、エリオジクチオールおよびナリンゲニンから選択されることを特徴とする、請求項６に記載の化粧品組成物。
　【請求項８】　式（ＩＩ）の化合物類が、トロゼルチン、クリシン、タンゲレチン、およびルテオリンから選択されることを特徴とする、請求項６に記載の化粧品組成物。
　【請求項９】　フラボノイド類が、化粧品として許容されるキャリア中に、０．００１重量％から１０重量％までの間で存在することを特徴とする請求項１ないし８のいずれか１項に記載の化粧品組成物。
　【請求項１０】　フラボノイド類が、化粧品として許容されるキャリア中に、０．００５重量％から５重量％までの間で存在することを特徴とする、請求項９に記載の化粧品組成物。
　【請求項１１】　水性または水−アルコール性ローション、ゲル、クリーム、エマルション、小胞性分散物、フォーム、スプレーの形態で提供されることを特徴とする、請求項１ないし１０のいずれか１項に記載の化粧品組成物。
　【請求項１２】　シャンプー、リンスーオフまたはリーブーインコンディショナー、パーマネントウエーブ用、ヘアーストレート用、染色または脱色用組成物の形態で、または、染色処理、パーマネントウエーブ処理、またはヘアーストレート処理の前後に、または、パーマネントウエーブ処理またはヘアーストレート処理の２段階の間に適用されるリンスーオフ組成物の形態提供されることを特徴とする、請求項１ないし１１のいずれか１項に記載の化粧品組成物。
　【請求項１３】　少なくとも１つの化粧品添加物を含有することを特徴とする、請求項１ないし１２のいずれか１項に記載の化粧品組成物。
　【請求項１４】　イチョウ抽出物を含有しないことを特徴とする、請求項１ないし１３のいずれか１項に記載の化粧品組成物。
　【請求項１５】　有効量の、フラバノン類、フラボン類、フラボノール類（クエルセチン及びその配糖体を除く）、ジヒドロフラボノール類、ロイコアントシアニジン類、カルコン類（次式
　【化６】
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキン基を表す］の２―ヒドロキシカルコン誘導体を除く）、オウロン類、およびジヒドロカルコン類からなる群から選択されるフラボノイド類が、化粧品として許容されるキャリア（有機過酸化物を還元できるペルオキシダーゼ活性を有する物質、及び、セレン化合物を含まない）において髪に適用されることを特徴とする、環境成分により引き起こされるダメージに対して髪の機械的特性を保護する保護方法。
【発明の詳細な説明】
　【０００１】
　【産業上の利用分野】
　本発明は、環境成分、特に光によるダメージから、髪ケラチンの機械的特性を保護するための薬剤類として、フラボノイド類を化粧品組成物において使用する、フラボノイド類の用途、および、髪を該ダメージから保護するための保護方法に関する。
　【０００２】
　【従来の技術および発明が解決しようとする課題】
パーマネントウェーブ処理、ヘアーストレート処理、染色および脱色処理等の種々の髪処理の繰り返しにより、および、環境成分、特に光の作用によって、髪は、かなり過敏にまたは脆くなることが良く知られている。数多くの公報には、天然光が髪のある種のアミノ酸類を破壊することが開示されている。該ダメージが髪繊維に与えられると、引っ張り強度、破断荷重、および弾性等の機械的特性、または、水性媒体における膨張耐性が減少するものである。
　引っ張り強度は、１５％伸びプラトーによって測定可能である。１５％伸びプラトーは、ある長さの濡れた髪を、永久に１５％伸ばすのに必要な力である。この力が大きくなればなるほど、髪は、より強い耐性および弾性を有するものである。
　【０００３】
　光による髪ケラチンの機械的劣化に対抗するために、光線を遮へい可能なある物質類、たとえば２―ヒドロキシ―４―メトキシベンゾフェノン―５―スルホン酸またはその塩類（ＦＲ−Ａ−２，６２７，０８５）または４―（２―オキソ―３―ボルニリデンメチル）ベンゼンスルホン酸またはその塩類（ＥＰ−Ａ−３２９，０３２）、またはラクトフェリン（ＦＲ−Ａ−２，６７３，８３９）を使用することが既に提案されている。
　しかしながら、本出願人は、予想外で驚くべきことに、髪が受ける可能性のある環境成分、特に光によって引き起こされる種々のタイプのダメージに対して、フラボノイド類が、髪の機械的特性、特に髪の引っ張り強度および弾性を保持および／または増強することが可能であることを見い出した。
　【０００４】
　特許出願ＦＲ−Ａ−２，６８７，７５２に記載されているように、一重項酸素から、皮膚および／またはその表面成長体を保護するための薬剤として、あるフラボノイド類を、化粧品組成物の調製の際、使用することが知られている。
　しかしながら、該特許出願は、特に髪が環境成分または光によるダメージを受けた場合、または、髪処理が繰り返し行われた場合、髪に前記フラボノイド類を適用することによって得られるであろう、特別な技術的効果については何ら言及していない。
　【０００５】
　【課題を解決するための手段および作用】
　本発明の主題は、環境成分、特に光によるダメージ、および、髪に繰り返し行われる処理によるダメージに対して、フラバノン類、フラボン類、フラボノール類（クエルセチン及びその配糖体を除く）、ジヒドロフラボノール類、ロイコアントシアニジン類、カルコン類（次式
　【化７】
［式中、Ｒ１、Ｒ２、Ｒ３及びＲ４は互いに独立に水素原子、Ｃ１〜Ｃ１２の直鎖または分枝鎖アルキル基、Ｃ１〜Ｃ１２の直鎖または分枝アルコキシ基またはＣ２〜Ｃ２０の直鎖または分枝アシロキシ基を表す］の２―ヒドロキシカルコン誘導体を除く）、オウロン類、およびジヒドロカルコン類からなる群がら選択され、髪の機械的特性を改善および／または回復するためのフラボノイド類を含有してなる、化粧品組成物（但し、有機過酸化物を還元できるペルオキシダーゼ活性を有する物質、及び、セレン化合物を含まない）を提供することである。
　【０００６】
　フラボノイド類は、植物組織に発生する化合物であり、種々異なった化学カテゴリーを構成しているもので、フラバノン類、フラボン類、フラボノール類、ジヒドロフラボノール類、カテキン類、ロイコアントシアニジン類、カルコン類、オウロン類、およびジヒドロカルコン類が挙げられる。
　これらのフラボノイド類は、公知であり、特に、文献：”Ｔｈｅ　Ｆｌａｖｏｎｏｉｄｓ”，Ｈａｒｂｏｒｎｅ　Ｊ．Ｂ．，Ｍａｂｒｙ　Ｔ．Ｊ．ＨｅｌｇａＭａｂｒｙ，１９７５，ｐｐ１〜４５に記載されている。
　【０００７】
　本発明によれば、フラバノン類、フラボン類、フラボノール類（クエルセチン及びその配糖体を除く）、ジヒドロフラボノール類
、
本発明によれば、式（Ｉ）：
　【０００８】
　【化８】
　【０００９】
または、式（ＩＩ）：
　【００１０】
　【化９】
　【００１１】
（式中、Ａ、Ｂ、Ｃ、およびＤは、各々独立に、ＨまたはＯＨを示し、Ｅは、Ｈ、ＯＨ、またはＯＲを示し、ここでＲは、
　【００１２】
　【化１０】
　【００１３】
であり、
　Ｆ、Ｇ、およびＪは、各々独立に、ＨまたはＯＨを示し、
Ｘは、
　【００１４】
　【化１１】
　【００１５】
であり、
Ａ’、Ｃ’、およびＤ’は、．各々独立に、Ｈ、ＯＨ、またはＯＣＨ３を示し、
Ｅ’は、Ｈ、ＯＨ、またはＯＲ’を示し、ここでＲ’は、糖基を示し、
Ｂ’、Ｆ’、Ｇ’、およびＪ’は、各々独立に、Ｈ、ＯＨ、ＯＣＨ３、またはＯＣＨ２−ＣＨ２−ＯＨを示す）
　で表わされるフラボノイド類が好ましくは使用される。
　好ましくは、Ｒ’は６−Ｏ−（６−デオキシ−α−Ｌ−マンノピラノシル）−β−Ｄ−グルコピラノシル基である。
　式（Ｉ）および（ＩＩ）で表わされる化合物は、特に、文献：”Ｔｈｅ　Ｆｌａｖｏｎｏｉｄｓ”，Ｈａｒｂｏｒｎｅ　Ｊ，Ｂ．，Ｍａｂｒｙ　Ｔ．Ｊ．Ｈｅｌｇａ　Ｍａｂｒｙ，１９７５，ｐｐ．１〜４５に記載された方法にしたがって調製可能である。
　【００１６】
　本発明においては、より好ましいフラボノイド類は、たとえば、タキシフォリン、エリオジクチオール、ナリンゲニン、トロゼルチン、クリシン、タンゲレチン、およびルテオリンから選択される。
　本発明により使用される組成物においては、式（Ｉ）および（ＩＩ）で表わされる化合物は、一般的には、組成物の全重量に対して、０．００１重量％から１０重量％までの間で、好ましくは０．００５重量％から５重量％までの間で存在する。
　【００１７】
　組成物は、単相または多相の水性または水―アルコール性ローション、単相または多相ゲル、クリーム、エマルション、小胞性分散物、フォーム、スプレーの形態で提供可能である。
　髪組成物は好ましくは、シャンプー、リンスーオフまたはリーブーインコンディショナー、ヘアースタイリングフォーム、パーマネントウエーブ用、ヘアーストレート用、染色または脱色用組成物の形態で、または、染色処理、パーマネントウエーブ処理、またはヘアーストレート処理の前後に、または、パーマネントウエーブ処理またはヘアーストレート処理の２段階の間に適用されるリンスーオフ組成物の形態で提供可能である。
　【００１８】
　組成物は、脂肪物質類、有機溶媒類、シリコーン類、増粘剤類、緩和剤類、界面活性剤類、アニオン性、カチオン性、非イオン性または両性ポリマー類、消泡剤類、髪調節剤類、たとえば、タンパク質類、ビタミン類、トリートメント剤類（抜け毛防止剤類、抗ふけ剤類）、ＥＰ−Ａ−５００４３７に記載されているようなセラミド類、着色剤類、真珠光沢剤類、サンスクリーン剤類、特にスルホン酸遮へい剤類、香料類、防腐剤、抗微生物剤類、電解質類、安定化剤類、たとえばエリトルビン酸およびメタ重亜硫酸ナトリウム、金属イオン封止剤類、および推進剤類から選択される、従来の化粧品添加物を含有可能である。
　より詳細には、脂肪物質類としては、オイルまたはワックスまたはこれらの混合物、脂肪酸類、脂肪アルコール類、脂肪酸エステル類、たとえばＣ６〜Ｃ１８脂肪酸のトリグリセリド類、鉱油、パラフィン、ラノリン、水素化またはアセチル化ラノリンが使用可能である。
　【００１９】
　オイル類としては、鉱油類、動物油類、植物油類、または合成油類、特に液体パラフィン、パラフィン油、ヒマシ油、ホウホウバ油、ゴマ油、シリコーンオイル類およびゴム類、イソパラフィン類および沸化または過沸化オイル類が挙げられる。
　ワックス類としては、動物性ワックス類、植物性ワックス類、鉱物性ワックス類または合成ワックス類、特に蜜ろう、カンデリラろう、オゾケライト類、マイクロクリスタリンワックス類、シリコーンワックス類および樹脂類が挙げられる
　【００２０】
　化粧品組成物において通常使用される有機溶媒類としては、特に、低級Ｃ１〜Ｃ６モノアルコール類またはポリアルコール類、たとえばエタノール、イソプロパノール、エチレングリコール、ジエチレングリコール、ポリエチレングリコール、グリセロール等が挙げられる。
増粘剤類は、アルギン酸ナトリウム、アラビアゴム、セルロース誘導体、たとえば、メチルセルロース、ヒドロキシメチルセルロース、ヒドロキシエチルセルロース、ヒドロキシプロピルセルロース、ヒドロキシプロピルメチルセルロース、グアガムまたはその誘導体、キサンタンゴム、スクレログルカン類、架橋ポリアクリル酸類から、特に選択可能である。
　　【００２１】
　界面活性剤類およびポリマー類としては、本技術において特に髪組成物用として良く知られているもの、全てが使用可能である。
　好ましくは、本発明により使用される組成物は、イチョウ抽出物を含有しない。　
　組成物は、イオン性または非イオン性の両親媒性脂質の小胞性分散物の形態で供給可能である。この場合、本出願人による特許：ＦＲ−Ａ−２，４１６，００８およびＦＲ−Ａ−２，３１５，９９１、または、文献：ＳＴＡＮＤＩＳＨ　＆　ＷＡＴＫＩＮＳ，Ｊ．Ｍｏ１．　Ｂｉｏｌ．，ｌ３２３８（１９６５）に記載されているように、水性媒体に分散された小球体を形成するために水溶液中に脂質を膨潤することにより、特に調製されるものである。種々の異なったタイプの調製方法は、文献：”Ｌｅｓ　ｌｉｐｏｓｏｍｅｓ　ｅｎ　ｂｉｏ１ｏｇｉｅ　ｃｅｌｌｕｌａｉｒｅ　ｅｔ　ｐｈａｒｍａｃｏｌｏｇｉｅ（Ｌｉｐｏｓｏｍｅｓ　ｉｎ　ｃｅｌｌ　ｂｉｏｌｏｇｙ　ａｎｄ　ｐｈａｒｍａｃｏｌｏｇｙ）”，Ｅｄｉｔｉｏｎ　ＩＮＳＥＲＭ／Ｊｏｈｎ　Ｌｉｂｅｒｙ　Ｅｕｒｏｔｅｘｔ，１９８７，ｐｐ．６〜１８に記載されている。
　【００２２】
　本発明による組成物のｐＨは、一般的には３から９までの間、好ましくは３から６までの間である。
　フラボノイド類は、組成物に、使用の直前に添加してもよく、この場合、フラボノイド類は、組成物の他の成分とは別にパッケージされる。
　本発明の主題はまた、環境成分、特に光によるダメージから髪の機械的特性を保護するための方法であり、該方法は、化粧品として許容されるキャリア中の上記フラボノイド類を有効量、髪に適用することからなり、次いで該適用後、任意に水で洗い流されてもよい。
　本発明によるいくつかの実施例を以下に示すが、本発明は、これらの実施例に限定されるものではない。
　【００２３】
　【実施例】
参考例１
　以下の組成のリーブーイントリートメントローションを調製した：
−ピカテキン　１．０４ｇ
−アセトン　　２０．８３ｇ
−水　合計　１００ｇ
　該ローションを、かなり脱色した髪に適用し、該トリートメントを施した髪における水に対する膨張率を測定した。
　【００２４】
　膨張率は、髪への水の浸透率を示すものであり、髪をトリートメントする前と後に測定された該比率の変化が、トリートメントの効果を特徴づけるものである。高い膨張率は、髪が劣化していることを示し、一方、低い膨張率であると、適用されたトリートメントにより供給された十分に小さいサイズの分子が髪に浸透したことを確証するものである。
　レコーダーに連結したセンサーを用いて、髪の初期の太さＥｉを、本発明によるローションで処理された髪において測定した。０．１ｍｌの水をシリンジを用いて髪にのせた。髪の膨張が起こる。センサーで、全膨張工程中の髪の太さを測定する。膨張終了後、最終的な髪の太さＥｆを測定した。
　【００２５】
　図１は、測定操作後に得られた記録曲線を示す。経時的（ｔ）な髪の太さ（Ｅ）の変化を示すものである。
　膨張時間ｔＧを定めるために、該曲線の本来の傾きをプロットした。該傾きと最終的な太さにおける線との交点が、膨張現象の終点であると定めた。
　膨張率を以下の式：
　膨張率＝（Ｅｆ−Ｅｉ）／ｔＧ
によって定める。
　【００２６】
　本発明によるローションを用いて処理した髪の膨張率を、未処理の髪の膨張率を比較した。本発明により処理された髪の膨張率は、未処理の髪の膨張率と比較すると、４９．９％減少していた。
　【００２７】
実施例２
　以下の組成のリーブーイントリートメントローションを調製した：
−タキシフォリン　１．０４ｇ
−アセトン　　　２０．８３ｇ
−水　合計　　１００ｇ
　該ローションを、かなり脱色した髪に適用し、実施例１に記載したように、水に対する膨張率を測定した。本発明により処理された髪の膨張率は、未処理の髪の膨張率と比較すると、７３．４％減少していたことが観察された。
【図面の簡単な説明】
　【図１】
　経時的（ｔ）な髪の太さ（Ｅ）の変化を示す記録曲線を示す図である。